(57)【要約】  【課題】複数の情報要素から目的の情報要素を選択的に指定入力するカメラで、情報要素を指定する際に表示する情報要素を記憶させる。  【解決手段】機能設定メニュースイッチが操作された場合に表示器７に表示するメニュー画面は、設定中の項目および非設定にされている項目を示すマークやテキストなどを１画面の中に収めて表示する。設定中の項目だけでなく、設定変更可能な状態（待機状態）にある項目も表示する。絞り値やシャッター速度の変更など数値を変化させて行う項目はアップ／ダウン方式で変化させる。設定された機能を露出モードごとに関連づけてメモリ８に記憶し、メニュー画面を表示器７に表示するとき、その時点で設定されている露出モードに関連づけられている機能（設定項目）のみを表示する。  【選択図】図１
2006047706.tif 000002
【特許請求の範囲】
【請求項１】
予め選択可能に用意された複数の情報要素から目的の情報要素を選択的に指定入力するカメラにおいて、
前記複数の情報要素を表示する表示手段と、
操作に応じて操作信号を出力する操作手段と、
前記表示手段に表示されている情報要素のうち、前記操作手段から出力される操作信号が示す情報要素に対応する機能を設定するカメラ制御手段と、
前記表示手段に表示する情報要素を記憶する記憶手段と、
前記記憶手段から情報要素を読み出して前記表示手段に表示させる表示制御手段とを備えることを特徴とするカメラ。
【請求項２】
請求項１に記載のカメラにおいて、
前記記憶手段は、前記表示手段に表示する情報要素の組を複数組記憶する記憶容量を備え、
前記表示制御手段は、前記操作手段から出力される操作信号が示す情報要素の組を前記記憶手段から読み出して前記表示手段に表示させることを特徴とするカメラ。
【請求項３】
請求項１に記載のカメラにおいて、
前記記憶手段は、カメラの動作モードに関連づけて当該動作モードにおいて表示する情報要素を記憶し、
前記表示制御手段は、前記動作モードに関連づけられている情報要素を前記記憶手段から読み出して前記表示手段に表示させることを特徴とするカメラ。
【請求項４】
請求項３に記載のカメラにおいて、
前記記憶手段は、設定中の機能に対応する第１の情報要素および非設定の機能に対応する第２の情報要素をともに記憶し、
前記表示制御手段は、前記第１の情報要素と前記第２の情報要素とを異なる態様で表示させることを特徴とするカメラ。
【請求項５】
請求項３または４に記載のカメラにおいて、
前記情報要素は複数の動作モードから１つの動作モードを指定するための情報要素を含み、
前記記憶手段は前記複数の動作モードのそれぞれに関連づけて対応する情報要素を記憶し、
前記表示制御手段は、前記操作手段から出力される操作信号が示す動作モードに関連づけられている情報要素を前記記憶手段から読み出して前記表示手段に表示させることを特徴とするカメラ。
【発明の詳細な説明】
【技術分野】
【０００１】
本発明は、種々の設定項目や選択項目を有するカメラに関する。
【背景技術】
【０００２】
カメラの多機能化、高機能化が進み、設定内容の選択および変更を行うために煩雑な操作を必要とするものがある。特許文献１には、使用者に不要な選択項目や設定範囲を指定できないように禁止することにより、煩雑な操作を解消するカメラが開示されている。特許文献１によれば、あらかじめ不要な項目、範囲を表示しないように消去しておくことで、項目の指定（選択、設定）操作を迅速かつ簡単にすることが記載されている。
【０００３】
【特許文献１】特開平１０−３１１５号公報
【発明の開示】
【発明が解決しようとする課題】
【０００４】
特許文献１のカメラでは、不要な選択項目や設定範囲を消去した状態が保存されないため、不要な項目を消去した後から他の使用者が変更操作（たとえば、何も消去していない初期状態に戻す）を行うと、当該変更操作前の状態に戻すためには改めて不要な項目を消去しなければならなかった。たとえば、カメラを複数の使用者が使用する場合であって、使用者Ａと使用者Ｂとの間で必要とする項目や範囲が異なる場合には、一方の使用者が変更操作を行うと他方の使用者は改めて選択、設定操作を行う必要があった。本発明は、変更前の状態に簡単に復帰可能なカメラを提供することを目的とする。
【課題を解決するための手段】
【０００５】
本発明は、予め選択可能に用意された複数の情報要素から目的の情報要素を選択的に指定入力するカメラに適用される。そして、複数の情報要素を表示する表示手段と、操作に応じて操作信号を出力する操作手段と、表示手段に表示されている情報要素のうち、操作手段から出力される操作信号が示す情報要素に対応する機能を設定するカメラ制御手段と、表示手段に表示する情報要素を記憶する記憶手段と、記憶手段から情報要素を読み出して表示手段に表示させる表示制御手段とを備えることを特徴とする。
上記カメラの記憶手段は、表示手段に表示する情報要素の組を複数組記憶する記憶容量を備えてもよく、この場合の表示制御手段は、操作手段から出力される操作信号が示す情報要素の組を記憶手段から読み出して表示手段に表示させることもできる。
上記カメラの記憶手段は、カメラの動作モードに関連づけて当該動作モードにおいて表示する情報要素を記憶することもできる。この場合の表示制御手段は、動作モードに関連づけられている情報要素を記憶手段から読み出して表示手段に表示させるとよい。また、設定中の機能に対応する第１の情報要素および非設定の機能に対応する第２の情報要素をともに記憶するように記憶手段を構成してもよく、表示制御手段は、第１の情報要素と第２の情報要素とを異なる態様で表示させることもできる。さらに、情報要素は複数の動作モードから１つの動作モードを指定するための情報要素を含めてもよく、この場合の記憶手段は複数の動作モードのそれぞれに関連づけて対応する情報要素を記憶し、表示制御手段は操作手段から出力される操作信号が示す動作モードに関連づけられている情報要素を記憶手段から読み出して表示手段に表示させることもできる。
【発明の効果】
【０００６】
本発明によるカメラでは、情報要素を指定する際に表示する情報要素を記憶しておくようにしたので、表示する情報要素が変更された場合でも変更前の状態に復帰させることができる。
【発明を実施するための最良の形態】
【０００７】
以下、図面を参照して本発明を実施するための最良の形態について説明する。図１は、本発明の一実施の形態による電子スチルカメラの要部構成を説明するブロック図である。電子スチルカメラは、撮像素子１と、閃光装置２と、シャッタ制御機構３と、絞り制御機構４と、操作部材５と、処理部６と、表示器７と、メモリ８とを含み、メモリカードなどの記録媒体９を着脱可能に構成されている。電子スチルカメラの動作モードには、撮影を行って画像データを記録媒体９に記録する撮影モードと、記録媒体９に記録されている画像データによる画像を表示器７に再生表示する再生モードと、カメラに備えられている機能（撮影条件などの撮影に関する項目を含む）のオン／オフなどを設定するためのメニューモードとが含まれている。
【０００８】
操作部材５は、不図示のレリーズスイッチやメニュースイッチ、および十字スイッチなどを含み、各スイッチの操作に応じて操作信号を処理部６へ出力する。
【０００９】
メモリ８は、制御処理部６による作業用エリアとして使用される他に、カメラに設定されている機能を示すデータを保持するために使用される。メモリ８、記録媒体９は電源オフ時も記憶内容を保持する不揮発性メモリで構成される。
【００１０】
表示器７は、制御処理部６で生成される表示データに応じて、画像表示やカメラに設定されている機能を示す表示を行う。
【００１１】
撮影モードにおいて、撮影レンズ（不図示）を通過した被写体光束は、撮像素子１の撮像面上に結像される。撮像素子１は、撮像信号を処理部６へ送出する。処理部６は、撮像信号に含まれる輝度情報を用いて周知の露出演算を行い、適正露出が得られるように絞り値およびシャッター速度を算出する。処理部６は、算出結果に応じて絞り制御信号およびシャッタ制御信号を生成する。
【００１２】
閃光装置（スピードライト）２は、発光が許可されている状態で撮影時に処理部６から発光指示を受けると、被写体に向けて照明光を発する。シャッタ制御機構３は、撮影時に処理部６から送信されるシャッタ制御信号に応じてシャッタ（不図示）を駆動し、所定の露光時間が得られるようにする。絞り制御機構４は、撮影時に処理部６から送信される絞り制御信号に応じて絞り（不図示）を駆動し、所定の絞り値にする。
【００１３】
処理部６は、撮影開始後に撮像素子１から入力されるアナログ撮像信号をディジタルデータに変換した上で、ホワイトバランス調整や画像圧縮処理など所定の画像処理を行う。処理部６はさらに、画像処理後のデータに所定のファイル名を付与して記録媒体９に記録する。
【００１４】
再生モードにおいて、処理部６は、操作部材５から入力されている操作信号が示すファイル名のデータを記録媒体９から読み出し、読み出したデータを用いて表示器７の表示解像度に応じた表示データを生成して表示器７へ送出する。これにより、表示器７の表示画面に再生画像が表示される。なお、再生表示する画像データのファイル名は、たとえば、使用者が操作部材５を操作することによって指定する。
【００１５】
メニューモードにおいて、処理部６は、表示器７にマークやテキストなどを表示させるために必要な表示データを生成して表示器７へ送出する。これにより、表示器７の表示画面にメニュー画面が表示される。使用者によって操作部材５が操作されると、処理部６は、操作信号に応じて機能を設定（変更）する。
【００１６】
本発明は、上述した電子スチルカメラのメニューモードの動作に特徴を有する。本実施の形態では、撮影時の露出モード、および当該露出モードに関連する機能を設定（変更）する場合を例に説明する。
【００１７】
電子スチルカメラは、次の複数の露出モードのうち１つのモードを択一的に設定可能に構成されている。
１．絞り値を設定されている値に固定してシャッター速度を自動的に変化させる絞り優先露出モード（Ａモード）
２．シャッター速度を設定されている値に固定して絞り値を自動的に変化させるシャッタ優先露出モード（Ｓモード）
３．絞り値およびシャッター速度の変化分を所定の振り分け方にするように自動的に変化させるプログラムモード（Ｐモード）
４．設定されている絞り値と設定されているシャッター速度とを用いて制御を行うマニュアルモード（Ｍモード）
【００１８】
図２は、操作部材５を構成する機能設定メニュースイッチ（不図示）が操作された場合に表示器７に表示されるメニュー画面の一例を示す図である。図２において、画面の上下方向に亘る４段のうち最上段に、露出モードを示す表示１１「Ａ」が点灯表示されている。
【００１９】
カメラがＡモードに設定されている場合、非設定である他の露出モードを示す表示１２「Ｓ」および表示１３「Ｍ」に比べて、設定中の露出モードを示す表示１１「Ａ」が強調して表示される。強調表示は、たとえば、輝度の高低差やコントラストの高低差をつけることによって行う。図２の例では、設定中の露出モードを示す表示１１「Ａ」が実線で、非設定を示す表示１２および表示１３が点線で、それぞれ表わされている。非設定にされている項目（表示１２、表示１３）も表示することで、ＳモードおよびＭモードがそれぞれ設定変更可能な状態（ここでは、待機状態と呼ぶ）であることを使用者に報知する。
【００２０】
図２の画面の２段目には、絞り値を示す数値２１「３．５」が点灯表示されている。上向き三角表示２２および下向き三角表示２３は、それぞれ絞り値をアップ、ダウン両方向に設定変更可能であることを示す。Ａモードでは処理部６がシャッター速度を設定するので、本メニュー画面においてシャッター速度の表示が省略される。
【００２１】
図２の画面の３段目には、マルチパターン測光方式を示すマーク３１が点灯表示されている。カメラの測光方式がマルチパターン測光に設定されている場合、非設定である他の測光方式（中央部重点測光方式）を示すマーク３２に比べて、設定中の測光方式を示すマーク３１が強調して表示される。図２の例では、設定中の測光方式を示すマーク３１が実線で、非設定である測光方式を示すマーク３２が点線で、それぞれ表わされている。非設定にされている項目（マーク３２）も表示することで、中央部重点測光方式が待機状態であることを使用者に報知する。
【００２２】
図２の画面の４段目には、閃光装置２を非使用にする（発光を禁止する）設定が行われていることを示すマーク４１が点灯表示されている。閃光装置２を非使用にする設定がなされている場合、閃光装置２を必ず使用する（強制発光する）設定がなされていることを示すマーク４２に比べて、設定中の状態を示すマーク４１が強調して表示される。図２の例では、発光禁止を示すマーク４１が実線で、強制発光を示すマーク４２が点線で、それぞれ表わされている。非設定にされている項目（マーク４２）も表示することで、閃光装置２の強制発光設定が待機状態であることを使用者に報知する。
【００２３】
図２の画面の４段目にはさらに、セルフタイマーセットを示すマーク４３も点線で表わされている。非設定にされているセルフタイマーを示すマーク４３を表示することで、セルフタイマーのセットが待機状態であることを使用者に報知する。
【００２４】
図３は、カメラがＳモードに設定されている場合に表示器７に表示されるメニュー画面の一例を示す図である。操作部材５を構成する露出モードおよび機能設定メニュースイッチ（不図示）が操作された場合、図２の代わりに表示器７に表示される。
【００２５】
カメラがＳモードに設定されている場合、非設定である他の露出モードを示す表示１１「Ａ」および１３「Ｍ」に比べて、設定中の露出モードを示す表示１２「Ｓ」が強調して表示される。図３の例では、設定中の露出モードを示す表示１２「Ｓ」が実線で、非設定を示す表示１１および表示１３が点線で、それぞれ表わされている。非設定にされている項目（表示１１、表示１３）も表示することで、ＡモードおよびＭモードがそれぞれ待機状態であることを使用者に報知する。
【００２６】
図３の画面の２段目には、シャッター速度を示す数値２４「１／６０」が点灯表示されている。上向き三角表示２５および下向き三角表示２６は、それぞれシャッター速度をアップ、ダウン両方向に設定変更可能であることを示す。Ｓモードでは処理部６が絞り値を設定するので、本メニュー画面において絞り値の表示が省略される。
【００２７】
図３の画面の３段目には、中央部重点測光方式を示すマーク３２が点灯表示されている。カメラの測光方式が中央部重点測光に設定されている場合、非設定である他の測光方式（マルチパターン測光方式）を示すマーク３１に比べて、設定中の測光方式を示すマーク３２が強調して表示される。図３の例では、設定中の測光方式を示すマーク３２が実線で、非設定である測光方式を示すマーク３１が点線で、それぞれ表わされている。非設定にされている項目（マーク３１）も表示することで、マルチパターン測光方式が待機状態であることを使用者に報知する。
【００２８】
図３の画面の４段目には、閃光装置２の発光を禁止する設定が行われていることを示すマーク４１、閃光装置２を強制発光する設定が行われていることを示すマーク４２、およびセルフタイマーを示すマーク４３が、それぞれ点線で表わされている。非設定にされている項目（マーク４１〜４３）を表示することで、各マークに対応する機能が待機状態であることを使用者に報知する。
【００２９】
図４は、カメラがＭモードに設定されている場合に表示器７に表示されるメニュー画面の一例を示す図である。操作部材５を構成する露出モードおよび機能設定メニュースイッチ（不図示）が操作された場合、図２、図３の代わりに表示器７に表示される。
【００３０】
カメラがＭモードに設定されている場合、非設定である他の露出モードを示す表示１１「Ａ」および１２「Ｓ」に比べて、設定中の露出モードを示す表示１３「Ｍ」が強調して表示される。図４の例では、設定中の露出モードを示す表示１３「Ｍ」が実線で、非設定を示す表示１１および表示１２が点線で、それぞれ表わされている。非設定にされている項目（表示１１、表示１２）も表示することで、ＡモードおよびＳモードがそれぞれ待機状態であることを使用者に報知する。
【００３１】
図４の画面の２段目には、絞り値を示す数値２１「３．５」、およびシャッター速度を示す数値２４「１／６０」がそれぞれ点灯表示されている。上向き三角表示２２および下向き三角表示２３は、絞り値をアップ、ダウン両方向に設定変更可能であることを示し、上向き三角表示２５および下向き三角表示２６は、シャッター速度をアップ、ダウン両方向に設定変更可能であることを示す。Ｍモードでは絞り値およびシャッター速度の双方が表示される。
【００３２】
図４の画面の３段目には、中央部重点測光方式を示すマーク３２が点灯表示されている。カメラの測光方式が中央部重点測光に設定されている場合、非設定である他の測光方式（マルチパターン測光方式）を示すマーク３１に比べて、設定中の測光方式を示すマーク３２が強調して表示される。図４の例では、設定中の測光方式を示すマーク３２が実線で、非設定である測光方式を示すマーク３１が点線で、それぞれ表わされている。非設定にされている項目（マーク３１）も表示することで、マルチパターン測光方式が待機状態であることを使用者に報知する。
【００３３】
図４の画面の４段目には、セルフタイマーセットを示すマーク４３が点灯表示され、閃光装置２の発光を禁止する設定がなされていることを示すマーク４１、および閃光装置２を強制発光する設定がなされていることを示すマーク４２に比べて強調して表示されている。図２および図３と同様に、非設定にされているマーク４１、４２を表示することで、各マークに対応する機能が待機状態であることを使用者に報知する。
【００３４】
図５は、カメラがＭモードに設定されている場合に表示器７に表示されるメニュー画面の他の例を示す図である。操作部材５を構成する露出モードおよび機能設定メニュースイッチ（不図示）が操作された場合、図２〜図４の代わりに表示器７に表示される。
【００３５】
図４の場合と比べて画面の４段目の表示態様が異なるので、これら相違点を中心に説明する。図５の画面の４段目には、電球の色温度に対応させてホワイトバランス調整を行う設定がなされていることを示すマーク４４が点灯表示され、閃光装置２の発光を禁止する設定がなされていることを示すマーク４１、および曇天時の色温度に対応させてホワイトバランス調整を行う設定がなされていることを示すマーク４５に比べて強調して表示されている。図２、図３および図４と同様に、非設定にされている項目（マーク４１、４５）を表示することで、各マークに対応する機能が待機状態であることを使用者に報知する。
【００３６】
機能設定メニュースイッチ（不図示）が操作された場合に処理部６が起動するメニュープログラムによる処理の流れについて、図６のフローチャートを参照して説明する。図６のステップＳ１１において、処理部６は、この時点において設定されている露出モードに関連づけてメモリ８に登録（記憶）されている内容をメモリ８から読み出してステップＳ１２へ進む。登録内容は、メニュープログラムが前回起動された時にカメラに設定されメモリ８に登録された機能ごとの設定内容を示すデータである。なお、メモリ８に登録されていない項目（例えば、記録媒体９に記録されている静止画像データを自動的に順次１枚ずつ読み出して表示器７に表示させる際の表示の更新時間など）については、デフォルト値としてあらかじめプログラムデータに含まれている内容とする。
【００３７】
ステップＳ１２において、処理部６は、読み出した内容を示す表示を表示器７に表示させてステップＳ１３へ進む。これにより、表示器７に図２〜図５のような機能設定メニュー画面が表示される。ステップＳ１３において、処理部６は、使用者によって変更指示が行われたか否かを判定する。処理部６は、たとえば、不図示の十字スイッチから操作信号が入力されると、ステップＳ１３を肯定判定してステップＳ１４へ進み、十字スイッチから操作信号が入力されない場合にはステップＳ１３を否定判定し、ステップＳ１７へ進む。ステップＳ１７へ進む場合は、登録内容を変更しないでメニュープログラムを終了する場合である。
【００３８】
ステップＳ１４において、処理部６は、表示器７による表示を更新させてステップＳ１５へ進む。具体的には、表示器７の画面内において十字スイッチによる操作信号が示す方向に位置するマークもしくはテキストの位置へカーソル（不図示）を移動させる。処理部６は、たとえば図２において上向き三角表示２２上にカーソルが位置する状態で決定スイッチ（不図示）が操作されると、操作信号が入力されるごとに絞り値を１段ずつ大きく変更する。反対に、下向き三角表示２３上にカーソルが位置する状態で決定スイッチ（不図示）が操作されると、操作信号が入力されるごとに絞り値を１段ずつ小さく変更する。
【００３９】
また、非設定にされている表示３２上にカーソルが位置する状態で決定スイッチ（不図示）が操作されると、処理部６は、中央部重点測光方式を示すマーク３２をマルチパターン測光方式を示すマーク３１より強調して表示するように表示態様を切り換える（更新する）。このように、同時に設定できない排他的関係にある項目は、一方に設定すると他方の設定を解除する。
【００４０】
排他的関係にある項目は、上記測光方式の他にも、たとえば、露出モード（Ａモード／Ｓモード／Ｐモード／Ｍモード）、閃光装置の設定（強制発光／発光禁止）、およびホワイトバランス設定（晴天／曇天／電球／蛍光灯／閃光装置等）などが該当する。
【００４１】
このように、カーソル移動されて決定スイッチ（不図示）が操作されると、処理部６は、決定操作信号が入力された時点のカーソル位置に対応する項目に設定、もしくはカーソル位置に対応する数値を増減させる。
【００４２】
図６のステップＳ１５において、処理部６は、使用者によって登録指示が行われたか否かを判定する。処理部６は、リターンマーク５１上にカーソルが位置する状態で決定スイッチ（不図示）が操作されると、登録指示がなされたと判断して、ステップＳ１５を肯定判定してステップＳ１６へ進み、決定スイッチから操作信号が入力されない場合にはステップＳ１５を否定判定し、ステップＳ１７へ進む。ステップＳ１７へ進む場合は、変更内容を登録（更新）しないでメニュー操作を終了する場合である。
【００４３】
ステップＳ１６において、処理部６は、変更された内容を設定されている露出モードに関連づけてメモリ８へ登録（更新記憶）する。更新された内容は、次回の撮影時に反映される。たとえば、絞り値が変更された場合には、処理部６が更新後の絞り値に対応する絞り制御信号を絞り制御機構４へ送出する。
【００４４】
ステップＳ１７において、処理部６は、メニュー処理を終了するか否かを判定する。処理部６は、リターンマーク５１上にカーソルが位置する状態で決定スイッチ（不図示）が再操作されると、ステップＳ１７を肯定判定して図６による処理を終了する。図６による処理を終了すると、処理部６は、表示中のメニュー画面に代えて撮影モード時の所定の表示画面を表示器７に表示させる。一方、決定スイッチが再操作されない場合（再びカーソル移動操作される場合など）には、ステップＳ１７を否定判定してステップＳ１１へ戻る。ステップＳ１１へ戻る場合は、登録（更新）後の内容をさらに変更する場合である。
【００４５】
以上説明した実施形態についてまとめる。
（１）機能設定メニュースイッチが操作された場合に表示器７に表示するメニュー画面（図２〜図５）は、設定中の項目および非設定にされている項目を示すマークやテキストなどを１画面の中に収めて表示するようにした。これにより、メニュー項目が複数の画面にまたがる階層構造と異なり、設定（変更）したい項目がどの階層にあるかを使用者が理解していなくても、容易に設定（変更）をすることができる。また、１画面の中に収めて表示するために、あらかじめ不要な項目を消去する必要もない。
【００４６】
（２）設定中の項目だけでなく、設定変更可能な状態（待機状態）にある項目も表示するようにしたので、使用者は、どの項目が待機状態にあるかを視覚的に知ることができる。また、設定変更できない項目（たとえば、Ａモードにおけるシャッター速度）は表示しないようにした（図２）ので、必要不可欠な項目のみが表示され、使用者にとって理解しやすく、操作の容易なメニュー画面が得られる。
【００４７】
（３）絞り値やシャッター速度の変更など数値を変化させて行う項目はアップ／ダウン方式で変化させるようにしたので、使用者にとって操作しやすいＧＵＩ環境を提供できる。
【００４８】
（４）設定された機能を上位モード（上記の例では露出モード）ごとに関連づけてメモリ８に記憶し、メニュー画面を表示器７に表示するとき、その時点で設定されている露出モードに関連づけられている機能（設定項目）のみを表示するようにした。つまり、設定項目の組を露出モードごとに複数組記憶し、そのうち設定されている露出モードに関連する１組の設定項目を表示する。メモリ８の記憶容量は、設定項目の組を複数記憶するために十分確保されている。したがって、露出モード間で設定変更可能な項目が異なる場合でも、カメラが自動的に必要な項目のみをメニュー表示させるので、使用者にとって設定（変更）操作しやすいカメラを提供できる。
【００４９】
上述した説明では、図２〜図５における強調表示について輝度差やコントラストを変えて行う例を示したが、この他にも、点滅表示や反転表示、もしくは色を変えるなどの異なる態様で表示してもよい。
【００５０】
設定（変更）操作の例として、十字スイッチを操作することによってカーソルを移動させた上で決定スイッチ（不図示）を操作する例を説明したが、表示器７をタッチパネル付き表示器によって構成し、表示もしくはマークの表示位置に直接触れることによって設定（選択）操作を行うようにしてもよい。
【００５１】
以上の説明では、上位モードとして露出モードを例に説明したが、撮影シーンモード（ポートレート撮影／風景撮影／クローズアップ撮影／夜景撮影など）を上位モードとしてもよい。
【００５２】
上述した排他的関係にある項目の上にカーソルが位置するとき、排他的な関係にある項目の全てについて、通常表示と反転表示とを交互に切り換えて点滅させるようにしてもよい。
【００５３】
上記の説明では、設定項目の組を露出モードごとに複数組記憶し、そのうち設定されている露出モードに関連する１組の設定項目を表示するようにした。この代わりに、設定項目の組にそれぞれ異なる登録番号を付与して複数組記憶し、そのうち指定された登録番号に対応する１組の設定項目を表示させるようにしてもよい。この場合には、図６のステップＳ１１において、操作部材５によって指定されている登録番号に対応してメモリ８に登録（記憶）されている内容をメモリ８から読み出してステップＳ１２へ進む。また、ステップＳ１６においては  操作部材５によって指定されている登録番号に変更された内容を関連づけてメモリ８へ登録（更新記憶）する。
【００５４】
特許請求の範囲における各構成要素と、発明を実施するための最良の形態における各構成要素との対応について説明する。情報要素は、たとえば、表示１１〜１３およびマーク３１、３２、４１〜４５が対応する。表示手段は、たとえば、表示器７によって構成される。操作手段は、たとえば、操作部材５によって構成される。カメラ制御手段および表示制御手段は、たとえば、処理部６によって構成される。記憶手段は、たとえば、メモリ８によって構成される。動作モードは、たとえば、露出モードが対応する。なお、本発明の特徴的な機能を損なわない限り、各構成要素は上記構成に限定されるものではない。
【図面の簡単な説明】
【００５５】
【図１】本発明の一実施の形態による電子スチルカメラの要部構成を説明するブロック図である。
【図２】表示器に表示されるメニュー画面の一例を示す図である。
【図３】カメラがＳモードに設定されている場合のメニュー画面の一例を示す図である。
【図４】カメラがＭモードに設定されている場合のメニュー画面の一例を示す図である。
【図５】Ｍモードに設定されている場合のメニュー画面の他の例を示す図である。
【図６】メニュープログラムの流れを説明するフローチャートである。
【符号の説明】
【００５６】
１…撮像素子
２…閃光装置
３…シャッタ制御機構
４…絞り制御機構
５…操作部材
６…処理部
７…表示器
８…メモリ
９…記録媒体
１１〜１３…表示
２１、２４…数値
２２、２５…上向き三角表示
２３、２６…下向き三角表示
３１、３２、４１〜４５…マーク
【図１】
2006047706.tif 000003
【図２】
2006047706.tif 000004
【図３】
2006047706.tif 000005
【図４】
2006047706.tif 000006
【図５】
2006047706.tif 000007
【図６】
2006047706.tif 000008